(57)【特許請求の範囲】
【請求項１】
架設される複数の電線に対して交差する方向に延びる本体部と、各電線を支持すべく、本体部の長手方向に沿って間隔を有して配置される複数の電線支持部であって、それぞれが凹状の掛止部を有する複数の電線支持部と、各電線から分岐する複数の分岐線を支持すべく、本体部の長手方向に沿って間隔を有して配置される複数の分岐線支持部であって、それぞれが本体部と電線支持部とに連結され、挿通孔を形成した複数の分岐線支持部とを備える支持体と、
各分岐線と各分岐線支持部とを固定する複数の分岐線固定材であって、それぞれが分岐線に巻き付けられる一対の螺旋部と、一対の螺旋部の一端同士を連結する半円状の抜け止め部とを備える複数の分岐線固定材とを用いて、
複数の電線からそれぞれ分岐線を分岐させる電線の空中分岐方法において、
各分岐線を各分岐線支持部で支持させるべく、分岐線固定材の抜け止め部を挿通孔に挿通しつつ、本体部に掛止し、その後、一対の螺旋部を分岐線に巻き付けて、抜け止め部を環状にし、各分岐線を各分岐線支持部に固定させる分岐線支持工程と、
分岐線支持工程の後に、各電線を各電線支持部で支持させるべく、各電線支持部の凹状の掛止部に各電線を掛止させる電線支持工程と、
電線支持工程の後に、各電線に各分岐線を接続させる分岐線接続工程とを備えることを特徴とする電線の空中分岐方法。
【発明の詳細な説明】
【技術分野】
【０００１】
本発明は、架設される複数の電線からそれぞれ分岐線を分岐させる電線の空中分岐方法に関する。
【背景技術】
【０００２】
従来、電線の空中分岐方法として、複数の電線と、各電線から分岐する複数の分岐線とを支持する支持体を用いて、複数の電線からそれぞれ分岐線を分岐させる電線の空中分岐方法が知られている（例えば、特許文献１）。斯かる電線の空中分岐方法によれば、支持体が、電線を支持する電線支持部と、分岐線を支持する分岐線支持部とを備えるため、電線や分岐線を支持することができる。
【先行技術文献】
【特許文献】
【０００３】
【特許文献１】特開２０１０−２２１７３号公報
【特許文献２】特開２００４−２６６９１６号公報
【発明の概要】
【発明が解決しようとする課題】
【０００４】
ところで、特許文献１及び２に係る電線の空中分岐方法によれば、電柱間に架設されるメッセンジャワイヤや電線を、支持体で支持させた作業の後に、分岐線を支持体で支持させる作業を行ったり、分岐線を電線に接続させる作業を行ったりする。したがって、既設されている電線に近い位置で行う作業が多くなるため、特に、電線に通電した状態で行う工法（間接活線工法）においては、作業者の精神的負担が大きくなる。
【０００５】
よって、本発明は、斯かる事情に鑑み、既設されている電線に近い位置で行う作業を少なくすることができる電線の空中分岐方法を提供することを課題とする。
【課題を解決するための手段】
【０００６】
本発明に係る電線の空中分岐方法は、架設される複数の電線に対して交差する方向に延びる本体部と、各電線を支持すべく、本体部の長手方向に沿って間隔を有して配置される複数の電線支持部であって、それぞれが凹状の掛止部を有する複数の電線支持部と、各電線から分岐する複数の分岐線を支持すべく、本体部の長手方向に沿って間隔を有して配置される複数の分岐線支持部であって、それぞれが本体部と電線支持部とに連結され、挿通孔を形成した複数の分岐線支持部とを備える支持体と、各分岐線と各分岐線支持部とを固定する複数の分岐線固定材であって、それぞれが分岐線に巻き付けられる一対の螺旋部と、一対の螺旋部の一端同士を連結する半円状の抜け止め部とを備える複数の分岐線固定材とを用いて、複数の電線からそれぞれ分岐線を分岐させる電線の空中分岐方法において、各分岐線を各分岐線支持部で支持させるべく、分岐線固定材の抜け止め部を挿通孔に挿通しつつ、本体部に掛止し、その後、一対の螺旋部を分岐線に巻き付けて、抜け止め部を環状にし、各分岐線を各分岐線支持部に固定させる分岐線支持工程と、分岐線支持工程の後に、各電線を各電線支持部で支持させるべく、各電線支持部の凹状の掛止部に各電線を掛止させる電線支持工程と、電線支持工程の後に、各電線に各分岐線を接続させる分岐線接続工程とを備えることを特徴とする。
【０００７】
本発明に係る電線の空中分岐方法によれば、分岐線固定材を介して、各分岐線を各分岐線支持部に固定させることにより、各分岐線が支持体の各分岐線支持部に支持される。その後、凹状に形成される各電線支持部に各電線を掛止させることにより、各電線が各電線支持部に支持される。さらにその後、各分岐線が各電線に接続される。
【０００８】
これにより、長手方向に沿って間隔を有して配置される複数の分岐線支持部により、並列に架設された複数の電線から分岐される各分岐線を、それぞれ離間させて支持することができる。しかも、既設されている電線から離れた位置で分岐線支持工程を行い、その後、各分岐線が支持体の各分岐線支持部で支持された状態で、電線支持工程や分岐線接続工程を行うことができる。
【００１０】
また、各分岐線固定材には、環状に形成される抜け止め部が設けられており、各分岐線支持部に設けられる挿通孔に、抜け止め部が挿通される。これにより、抜け止め部が挿通孔に抜け止めされるため、各分岐線が各分岐線支持部で支持される状態を維持できると共に、抜け止め部を介して、各分岐線を支持体に対して相対的に変位できるため、電線支持工程において、各電線支持部に各電線を掛止させる作業の効率を向上できる。
【発明の効果】
【００１１】
以上の如く、本発明に係る電線の空中分岐方法によれば、既設されている電線から離れた位置で分岐線支持工程を行い、その後、各分岐線が支持体の各分岐線支持部で支持された状態で、電線支持工程や分岐線接続工程を行うことができるため、既設されている電線に近い位置で行う作業を少なくすることができるという優れた効果を奏する。
【図面の簡単な説明】
【００１２】
【図１】本発明の一実施形態に係る電線の空中分岐方法に基づく空中分岐構造の概要図を示す。
【図２】同実施形態に係る空中分岐構造の要部図であって、平面図を示す。
【図３】同実施形態に係る空中分岐構造の要部図であって、図２のＡ−Ａ線における断面図を示す。
【図４】同実施形態に係る空中分岐構造を構成する部品図であって、（ａ）は電線固定材の全体平面図、（ｂ）は分岐線固定材の全体平面図、（ｃ）は接続材の全体側面図を示す。
【図５】同実施形態に係る電線の空中分岐方法を説明する図であって、（ａ）及び（ｂ）はそれぞれ要部側面図を示す。
【図６】同実施形態に係る電線の空中分岐方法を説明する図であって、（ａ）は要部側面図、（ｂ）は要部平面図を示す。
【発明を実施するための形態】
【００１３】
以下、本発明に係る電線の空中分岐方法に基づく空中分岐構造における一実施形態について、図１〜図４を参酌して説明する。
【００１４】
本実施形態に係る電線の空中分岐構造は、図１〜図４に示すように、電柱７，７間に架設される複数の電線（「本線」や「既設線（既設電線）」ともいう）８，…と、各電線８から分岐する複数の分岐線９，…とを支持するための支持体１を備える。そして、電線の空中分岐構造は、支持体１と各電線８とを固定する複数の電線固定材２，…と、支持体１と各分岐線９とを固定する複数の分岐線固定材３，…と、各電線８と各分岐線９とを接続する複数の接続材４，…とを備える。
【００１５】
支持体１は、上下方向（鉛直方向）に沿って長尺に形成され且つ円柱状の本体部１１を備える。そして、支持体１は、複数の電線８，…を支持すべく、長手方向に沿って間隔を有して配置される複数の電線支持部１２，…と、複数の分岐線９，…を支持すべく、長手方向に沿って間隔を有して配置される複数の分岐線支持部１３，…とを備える。なお、支持体１は、少なくとも表面が絶縁性を有し構成されている。
【００１６】
各電線支持部１２は、電線８を掛止することで支持すべく、凹状の掛止部１２１を備える。具体的には、電線支持部１２は、小径部１２ａと、小径部１２ａの軸心方向の両側に配置される大径部１２ｂ，１２ｂとを備え、小径部１２ａの外周部と各大径部１２ｂの内方部とにより、環状溝の掛止部１２１を構成している。また、各電線支持部１２は、分岐線支持部１３に連結されることで、本体部１１に固定されている。
【００１７】
各分岐線支持部１３は、挿通孔１３１を備える。具体的には、各分岐線支持部１３は、電線支持部１２における上方側の大径部１２ｂの上端部と本体部１１とを連結する第１連結体１３ａと、第１連結体１３ａの下方側に配置され、上方側の大径部１２ｂの外周部と本体部１１とを連結する第２連結体１３ｂとを備え、第１連結体１３ａ及び第２連結体１３ｂにより（より具体的には、電線支持部１２の大径部１２ｂの一部及び本体部１１の一部とも協同することにより）、挿通孔１３１を構成している。
【００１８】
換言すると、各分岐線支持部１３は、本体部１１から径方向に突出するように配置されていると共に、各電線支持部１２の上方側に配置されている。そして、各分岐線支持部１３は、基端側で本体部１１に連結されていると共に、先端側で各電線支持部１２に連結されている。
【００１９】
電線固定材２は、電線８に巻き付けられる一対の螺旋部２１，２１と、一対の螺旋部２１，２１間に配置され、電線支持部１２の掛止部１２１に掛止される半円状の環部２２とを備える。そして、電線８が掛止部１２１の一方側に沿って配置されることで掛止されるのに対して、環部２２は、その反対側（掛止部１２１の他方側）に嵌め込まれることで掛止されている。なお、電線固定材２は、硬鋼線材の全面にナイロンコーティングが施されて構成され、本実施形態においては、所謂、巻付バインドとしている。
【００２０】
分岐線固定材３は、分岐線９に巻き付けられる一対の螺旋部３１，３１と、一対の螺旋部３１，３１間に配置され、環状（半円状）の抜け止め部３２とを備える。そして、一対の螺旋部３１，３１は、分岐線９に巻き付くと共に、互いに係合することで、分岐線９を引き留めるように構成されている。
【００２１】
また、抜け止め部３２は、一対の螺旋部３１，３１が分岐線９に巻き付いた際に、無端環状に形成されるため、挿通する挿通孔１３１に抜け止めされる。なお、分岐線固定材３は、鋼や銅で形成され、本実施形態においては、所謂、巻付グリップ（巻付形引留グリップ）としている。
【００２２】
接続材４は、側方の一部が開放された筒状に形成され、外側から押圧される（かしめられる）ことにより、内部に挿入された電線８（被覆材が剥がされて芯線が剥き出しとなった電線８）を圧着する電線圧着部４１と、筒状に形成され、外側から押圧される（かしめられる）ことにより、内部に挿入された分岐線９（被覆材が剥がされて芯線が剥き出しとなった分岐線９）を圧着する分岐線圧着部４２とを備える。
【００２３】
そして、接続材４は、導電性を有する材料で形成されており、電線圧着部４１と分岐線圧着部４２とを電気的に接続している。これにより、接続材４は、電線圧着部４１で電線８を圧着すると共に、分岐線圧着部４２で分岐線９を圧着することで、電線８と分岐線９とを電気的に接続する。
【００２４】
本実施形態に係る電線の空中分岐構造の構成については以上の通りであり、次に、本実施形態に係る電線の空中分岐方法について図５及び図６を参酌して説明する。
【００２５】
＜分岐線支持工程＞
まず、図５（ａ）に示すように、環状の抜け止め部３２を挿通孔１３１に挿通させる。そして、基端側で電柱７に固定されている分岐線９の先端側を一対の螺旋部３１，３１間に位置させる。このとき、分岐線９は、電線８や他の分岐線９と接触するのを防止すべく、先端側を折り返しておき、先端部に短絡防止処置としてのカバー９１を装着している。
【００２６】
そして、一対の螺旋部３１，３１を分岐線９の先端側に巻き付かせると共に、一対の螺旋部３１，３１同士を互いに係合させると、一対の螺旋部３１，３１が分岐線９を引き留める。すると、図５（ｂ）に示すように、無端環状に形成される抜け止め部３２が挿通孔１３１に抜け止めされると共に、一対の螺旋部３１，３１が分岐線９に巻き付いて引き留めるため、分岐線固定材３が分岐線９と分岐線支持部１３とを固定する。なお、分岐線支持工程については、電線８，…から離れた位置で行われている。
【００２７】
＜電線支持工程＞
次に、各分岐線９が支持体１の各分岐線支持部１３で支持された状態で、支持体１を電線８，…に接近させる。このとき、抜け止め部３２が挿通孔１３１に抜け止めされるため、各分岐線９が各分岐線支持部１３で支持される状態を維持できると共に、抜け止め部３２が挿通孔１３１内で自由に移動できるため、各分岐線９を支持体１に対してフレキシブルに変位できる。
【００２８】
そして、掛止部１２１における本体部１１と対面する側（内方側）に沿って、各電線８を配置させると、各電線８が各電線支持部１２の掛止部１２１に掛止される。このとき、基端側で電柱７に固定されている分岐線９には、基端側に向けて張力（引張り力）が働くため、当該力により支持体１が付勢されるため、各電線８がより強く掛止部１２１に掛止されることになる。
【００２９】
また、図６（ａ）に示すように、掛止部１２１における本体部１１と対面する側と反対側（外方側）に、電線固定材２の環部２２を嵌め込むと共に、電線固定材２の螺旋部２１，２１をそれぞれ電線８に巻き付かせる。これにより、電線固定材２が電線８と電線支持部１２とを固定させる。
【００３０】
＜分岐線接続工程＞
そして、カバー９１を外し、被覆材が剥がされた分岐線９の先端部を、接続材４の分岐線圧着部４２の内部に挿入し、分岐線圧着部４２を外側から押圧することで、分岐線圧着部４２が分岐線９の先端部を圧着する。さらに、図６（ｂ）に示すように、被覆材が剥がされた電線８の中途部を、接続材４の電線圧着部４１の内部に挿入し、電線圧着部４１を外側から押圧することで、電線圧着部４１が電線８の中途部を圧着する。
【００３１】
以上より、本実施形態に係る電線の空中分岐方法によれば、分岐線固定材３を介して、各分岐線９を各分岐線支持部１３に固定させることにより、各分岐線９を支持体１の各分岐線支持部１３で支持させる。その後、凹状に形成される各電線支持部１２の掛止部１２１に各電線８を掛止させることにより、各電線８を各電線支持部１２で支持させ、さらにその後、各電線８に各分岐線９を接続させる。
【００３２】
これにより、長手方向に沿って間隔を有して配置される複数の分岐線支持部１３，…により、並列に架設された複数の電線８，…から分岐される各分岐線９を、それぞれ離間させて支持することができる。しかも、既設されている電線８，…から離れた位置で分岐線支持工程を行い、その後、各分岐線９が支持体１の各分岐線支持部１３で支持された状態で、電線支持工程や分岐線接続工程を行うことができるため、既設されている電線８，…に近い位置で行う作業を少なくすることができる。
【００３３】
また、上記実施形態に係る電線の空中分岐方法によれば、各分岐線支持部１３に設けられる挿通孔１３１に、各分岐線固定材３における環状の抜け止め部３２が挿通される。これにより、抜け止め部３２が挿通孔１３１に抜け止めされるため、各分岐線９が各分岐線支持部１３で支持される状態を維持できると共に、抜け止め部３２を介して、各分岐線９を支持体１に対して相対的に変位できるため、電線支持工程において、各電線支持部１２に各電線８を掛止させる作業の効率を向上できる。
【００３４】
また、上記実施形態に係る電線の空中分岐方法によれば、各分岐線支持部１３が本体部１１と各電線支持部１２との間に配置され且つ各電線支持部１２の上方側に配置されると共に、本体部１１及び各電線支持部１２間を繋げるべく、本体部１１と各電線支持部１２とに跨ってそれぞれ連結されている。
【００３５】
したがって、仮に、掛止部１２１から電線８が外れたとしても、各分岐線支持部１３の下方側で外れた電線８を掛止することができる。また、電線支持工程において、掛止部１２１で電線８を掛止する前に、各分岐線支持部１３の下方側で電線８を一旦掛止することで、電線８を仮止めすることもできる。
【００３６】
なお、本発明に電線の係る空中分岐方法は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００３７】
例えば、上記実施形態に係る電線の空中分岐方法においては、支持体１が四つの電線支持部１２，…及び四つの分岐線支持部１３を備える場合を説明したが、斯かる場合に限られない。具体的には、電線支持部及び分岐線支持部は、支持体に、それぞれ二つ設けられる場合でもよく、また、それぞれ三つ設けられる場合でもよく、さらに、それぞれ五つ以上設けられる場合でもよい。
【００３８】
また、上記実施形態に係る電線の空中分岐方法においては、支持体１に設けられる電線支持部１２及び分岐線支持部１３の数量が一定であり、並列されている既設の電線８，…の数量に応じた支持体１を用いる場合を説明したが、斯かる場合に限られない。
【００３９】
例えば、支持体は、一つの電線支持部と一つの分岐線支持部とを有する支持部材を複数備え、支持部材が互いに着脱可能に構成される場合でもよい。斯かる構成によれば、並列されている既設の電線８，…や分岐する分岐線９，…の数量に応じて複数の支持部材を連結することで、既設の電線８，…や分岐線９，…の数量に対してフレキシブルに対応できる。
【００４０】
上記実施形態に係る電線の空中分岐方法においては、本体部１１が円柱状に形成される場合を説明したが、斯かる場合に限られない。例えば、電線８，…同士や、分岐線９，…同士や、異なる系統の電線８と分岐線９とが短絡するのを防止するように、本体部は、分岐線支持部（又は電線支持部）間に、絶縁性能を向上すべく、径方向に突出するひだ（鍔）を備える場合でもよい。
【００４１】
上記実施形態に係る電線の空中分岐方法においては、分岐線支持部１３が本体部１１に連結され、電線支持部１２が分岐線支持部１３に連結される場合を説明したが、斯かる場合に限られない。例えば、支持体は、電線支持部が本体部に連結されると共に、分岐線支持部が電線支持部に連結されて構成される場合でもよく、また、電線支持部と分岐線支持部とが本体部にそれぞれ連結されて構成される場合でもよい。
【００４２】
上記実施形態に係る電線の空中分岐方法においては、各分岐線支持部１３が各電線支持部１２の上方側に配置されている場合を説明したが、斯かる場合に限られず、各分岐線支持部が各電線支持部の下方側に配置される場合でもよい。例えば、各分岐線支持部は、各電線支持部における下方側の大径部の外周部と本体部とを連結する第１連結体と、第１連結体の下方側に配置され、下方側の大径部の下端部と本体部とを連結する第２連結体とを備える場合でもよい。
【００４３】
上記実施形態に係る電線の空中分岐方法においては、電線固定材２を介して、電線８を電線支持部１２に固定することで、電線支持部１２が電線８を支持する場合を説明したが、斯かる場合に限られない。例えば、電線固定材を用いることなく、電線支持部１２の掛止部１２１に電線８を掛止するだけで、電線支持部１２が電線８を支持する場合でもよい。
【００４４】
上記実施形態に係る電線の空中分岐方法においては、分岐線固定材３が巻付グリップ（巻付形引留グリップ）である場合を説明したが、斯かる場合に限られない。例えば、分岐線固定材は、分岐線９を挟持する一対の挟持部材を備え、一対の挟持部材が分岐線９を挟持することで、分岐線９を固定する場合でもよい。
【００４５】
また、分岐線固定材は、開閉自在な環状の抜け止め部を備える場合でもよい。斯かる構成によれば、分岐線９を固定した後で、分岐線支持部１３の挿通孔１３１に抜け止め部を挿通させることができる。要するに、分岐線固定材は、分岐線支持部１３と分岐線９とを固定できる構成であればよい。
【符号の説明】
【００４６】
１…支持体、２…電線固定材、３…分岐線固定材、４…接続材、７…電柱、８…電線、９…分岐線、１２…電線支持部、１３…分岐線支持部、３２…抜け止め部、１３１…挿通孔
【図１】
0005518532.tif 000002
【図２】
0005518532.tif 000003
【図３】
0005518532.tif 000004
【図４】
0005518532.tif 000005
【図５】
0005518532.tif 000006
【図６】
0005518532.tif 000007